(57)【要約】【課題】ユーザの在宅時間中に商品を配送できる確率を高める。【解決手段】配送予定管理装置４は、ユーザが消費することにより重量が変化する被測定商品の重量と、被測定商品の重量が測定装置によって測定された時刻とを示す測定情報を取得する情報取得部４３１と、測定情報に基づいて、被測定商品の重量が変化した重量変化時刻が含まれる時間帯を在宅時間帯として推定する在宅時間帯推定部４３２と、在宅時間帯に基づいて、ユーザに配送する商品である配送商品の配送時間帯の候補である配送時間帯候補を決定する決定部４３３と、を有する。【選択図】図６
2018165965.tif 000002
【特許請求の範囲】
【請求項１】
ユーザが消費することにより重量が変化する被測定商品の重量と、前記被測定商品の重量が測定装置によって測定された時刻とを示す測定情報を取得する情報取得部と、
前記測定情報に基づいて、前記被測定商品の重量が変化した重量変化時刻が含まれる時間帯を在宅時間帯として推定する在宅時間帯推定部と、
前記在宅時間帯に基づいて、前記ユーザに配送する商品である配送商品の配送時間帯の候補である配送時間帯候補を決定する決定部と、
を有する配送予定管理装置。
【請求項２】
前記情報取得部は、前記測定装置から前記測定情報を受信した通信端末から前記測定情報を取得し、
前記在宅時間帯推定部は、前記重量変化時刻とともに、前記通信端末が前記測定情報を受信した受信時刻又は前記通信端末が前記測定情報を送信した送信時刻が含まれる時間帯を前記在宅時間帯として推定する、
請求項１に記載の配送予定管理装置。
【請求項３】
前記決定部は、前記受信時刻又は前記送信時刻が含まれる時間帯を、前記受信時刻又は前記送信時刻が含まれない時間帯よりも優先的に前記配送時間帯候補に決定する、
請求項２に記載の配送予定管理装置。
【請求項４】
前記決定部は、前記ユーザから許可されていることを条件として、前記重量変化時刻が含まれるが、前記受信時刻及び前記送信時刻が含まれない時間帯を前記配送時間帯候補に決定する、
請求項２又は３に記載の配送予定管理装置。
【請求項５】
日付に関連付けて前記重量変化時刻を記憶する記憶部をさらに有し、
前記情報取得部は、前記配送商品の配送予定日を示す配送日情報をさらに取得し、
前記在宅時間帯推定部は、前記配送予定日と同一の属性を有する過去の一以上の日付に関連付けて前記記憶部に記憶された前記重量変化時刻に基づいて前記在宅時間帯を推定する、
請求項１から４のいずれか一項に記載の配送予定管理装置。
【請求項６】
前記在宅時間帯推定部は、前記配送予定日と同じ曜日に関連付けて前記記憶部に記憶された前記重量変化時刻に基づいて前記在宅時間帯を推定する、
請求項５に記載の配送予定管理装置。
【請求項７】
前記在宅時間帯推定部は、前記配送予定日と同一の属性を有する過去の一以上の日のうち所定の割合以上の日に関連付けて前記記憶部に記憶されている重量変化時刻が含まれる時間帯を前記在宅時間帯と推定する、
請求項５又は６に記載の配送予定管理装置。
【請求項８】
前記決定部は、一以上の前記配送時間帯候補を前記通信端末に送信し、前記一以上の配送時間帯候補のうち前記通信端末において選択された時刻を配送時間帯に決定する、
請求項２から７のいずれか一項に記載の配送予定管理装置。
【請求項９】
前記情報取得部は、前記配送時間帯に前記配送商品が配送できなかったことの通知を取得し、
前記決定部は、前記情報取得部が前記通知を取得した後に前記被測定商品の重量が変化したことを検出した場合に、前記配送商品の再配送時間帯の候補を前記通信端末に送信する、
請求項８に記載の配送予定管理装置。
【請求項１０】
ユーザが消費することにより重量が変化する被測定商品の重量と、前記被測定商品の重量が測定装置によって測定された時刻とを示す測定情報を取得するステップと、
前記測定情報に基づいて、前記被測定商品の重量が変化した重量変化時刻が含まれる時間帯を在宅時間帯として推定するステップと、
前記在宅時間帯に基づいて、前記ユーザに配送する商品である配送商品の配送時間帯の候補である配送時間帯候補を決定するステップと、
を有する配送予定管理方法。
【請求項１１】
ユーザが消費することにより重量が変化する被測定商品の重量を測定する測定装置と、前記測定装置の測定情報に基づいて前記ユーザへの配送商品の配送時間帯の候補を決定する配送予定管理装置と、を備える配送予定管理システムであって、
前記測定装置は、前記被測定商品の重量、及び重量を測定した時刻を示す測定情報を送信する送信部を有し、
前記配送予定管理装置は、
前記測定情報を取得する情報取得部と、
前記測定情報に基づいて、前記被測定商品の重量が変化した重量変化時刻が含まれる時間帯を在宅時間帯として推定する在宅時間帯推定部と、
前記在宅時間帯に基づいて、前記ユーザに配送する商品である配送商品の配送時間帯の候補である配送時間帯候補を決定する決定部と、
を有する配送予定管理システム。
【発明の詳細な説明】
【技術分野】
【０００１】
本発明は、商品の配送予定を管理するための配送予定管理装置、配送予定管理方法及び配送予定管理システムに関する。
【背景技術】
【０００２】
従来、家庭での消費電力に基づいて在宅か否かを推定する方法が知られている。特許文献１においては、消費電力パターンに基づいて電気機器の運転状況を推定し、推定した結果によって在宅か否かを判定するシステムが開示されている。
【先行技術文献】
【特許文献】
【０００３】
【特許文献１】特開２０１０−１８２０７２号公報
【発明の概要】
【発明が解決しようとする課題】
【０００４】
ところで、宅配便の普及により、商品を配送する機会が増大しており、人が在宅の時間帯に商品を配送できるようにするために、在宅か否かを判定することが求められている。しかしながら、家庭で使用される電気機器の中には、在宅であるか否かによらず動作する機器があるので、従来のように消費電力を用いて在宅か否かを判定する場合には、在宅か否かの判定精度が低いという問題があった。
【０００５】
例えば、冷蔵庫は人がいない間も動作し、コンプレッサーを動作させるか否かによって消費電力が変動する。また、パーソナルコンピュータの電源を入れた状態で外出する人もいる。パーソナルコンピュータは、ソフトウェアが自動的にアップデートされるような場合に、人がいない状態であっても消費電力が増加する。したがって、消費電力に基づいて在宅か否かを推定した精度が低く、推定した結果に基づいて商品の配送時間を決定することは困難であった。
【０００６】
そこで、本発明はこれらの点に鑑みてなされたものであり、在宅か否かの判定精度を向上させ、ユーザの在宅時間中に商品を配送できる確率を高めるための配送予定管理装置、配送予定管理方法及び配送予定管理システムを提供することを目的とする。
【課題を解決するための手段】
【０００７】
本発明の第１の態様の配送予定管理装置は、ユーザが消費することにより重量が変化する被測定商品の重量と、前記被測定商品の重量が測定装置によって測定された時刻とを示す測定情報を取得する情報取得部と、前記測定情報に基づいて、前記被測定商品の重量が変化した重量変化時刻が含まれる時間帯を在宅時間帯として推定する在宅時間帯推定部と、前記在宅時間帯に基づいて、前記ユーザに配送する商品である配送商品の配送時間帯の候補である配送時間帯候補を決定する決定部と、を有する。
【０００８】
前記情報取得部は、前記測定装置から前記測定情報を受信した通信端末から前記測定情報を取得し、前記在宅時間帯推定部は、前記重量変化時刻とともに、前記通信端末が前記測定情報を受信した受信時刻又は前記通信端末が前記測定情報を送信した送信時刻が含まれる時間帯を前記在宅時間帯として推定してもよい。
【０００９】
前記決定部は、前記受信時刻又は前記送信時刻が含まれる時間帯を、前記受信時刻又は前記送信時刻が含まれない時間帯よりも優先的に前記配送時間帯候補に決定してもよい。
【００１０】
前記決定部は、前記ユーザから許可されていることを条件として、前記重量変化時刻が含まれるが、前記受信時刻及び前記送信時刻が含まれない時間帯を前記配送時間帯候補に決定してもよい。
【００１１】
配送予定管理装置は、日付に関連付けて前記重量変化時刻を記憶する記憶部をさらに有し、前記情報取得部は、前記配送商品の配送予定日を示す配送日情報をさらに取得し、前記在宅時間帯推定部は、前記配送予定日と同一の属性を有する過去の一以上の日付に関連付けて前記記憶部に記憶された前記重量変化時刻に基づいて前記在宅時間帯を推定してもよい。
【００１２】
前記在宅時間帯推定部は、前記配送予定日と同じ曜日に関連付けて前記記憶部に記憶された前記重量変化時刻に基づいて前記在宅時間帯を推定してもよい。
【００１３】
前記在宅時間帯推定部は、前記配送予定日と同一の属性を有する過去の一以上の日のうち所定の割合以上の日に関連付けて前記記憶部に記憶されている重量変化時刻が含まれる時間帯を前記在宅時間帯と推定してもよい。
【００１４】
前記決定部は、一以上の前記配送時間帯候補を前記通信端末に送信し、前記一以上の配送時間帯候補のうち前記通信端末において選択された時刻を配送時間帯に決定してもよい。
【００１５】
前記情報取得部は、前記配送時間帯に前記配送商品が配送できなかったことの通知を取得し、前記決定部は、前記情報取得部が前記通知を取得した後に前記被測定商品の重量が変化したことを検出した場合に、前記配送商品の再配送時間帯の候補を前記通信端末に送信してもよい。
【００１６】
本発明の第２の態様の配送予定管理方法は、ユーザが消費することにより重量が変化する被測定商品の重量と、前記被測定商品の重量が測定装置によって測定された時刻とを示す測定情報を取得するステップと、前記測定情報に基づいて、前記被測定商品の重量が変化した重量変化時刻が含まれる時間帯を在宅時間帯として推定するステップと、前記在宅時間帯に基づいて、前記ユーザに配送する商品である配送商品の配送時間帯の候補である配送時間帯候補を決定するステップと、を有する。
【００１７】
本発明の第３の態様の配送予定管理システムは、ユーザが消費することにより重量が変化する被測定商品の重量を測定する測定装置と、前記測定装置の測定情報に基づいて前記ユーザへの配送商品の配送時間帯の候補を決定する配送予定管理装置と、を備える配送予定管理システムであって、前記測定装置は、前記被測定商品の重量、及び重量を測定した時刻を示す測定情報を送信する送信部を有し、前記配送予定管理装置は、前記測定情報を取得する情報取得部と、前記測定情報に基づいて、前記被測定商品の重量が変化した重量変化時刻が含まれる時間帯を在宅時間帯として推定する在宅時間帯推定部と、前記在宅時間帯に基づいて、前記ユーザに配送する商品である配送商品の配送時間帯の候補である配送時間帯候補を決定する決定部と、を有する。
【発明の効果】
【００１８】
本発明によれば、ユーザの在宅時間中に商品を配送できる確率を高めることができるという効果を奏する。
【図面の簡単な説明】
【００１９】
【図１】発注管理システムの概要を示す図である。
【図２】ユーザの在宅状況について説明するための図である。
【図３】ユーザの在宅状況について説明するための図である。
【図４】測定装置の構成を示す図である。
【図５】通信端末の構成を示す図である。
【図６】配送予定管理装置の構成を示す図である。
【図７】測定装置が被測定商品の重量を測定した時刻と測定した重量との関係を示す図である。
【図８】測定装置が被測定商品の重量を測定した時刻と測定した重量との関係を示す図である。
【図９】記憶部に記憶された重量変化時刻情報の一例を示す図である。
【図１０】測定装置、通信端末及び配送予定管理の間での通信シーケンスを示す図である。
【図１１】配送予定管理装置が重量変化時刻を特定する動作のフローチャートである。
【図１２】配送予定管理装置が配送時間帯候補を決定する動作のフローチャートである。
【発明を実施するための形態】
【００２０】
［配送予定管理システムＳの概要］
図１は、配送予定管理システムＳの概要を示す図である。配送予定管理システムＳは、ウォーターサーバー１と、測定装置２と、通信端末３と、配送予定管理装置４と、コンピュータ５とを備える。配送予定管理システムＳは、測定装置２が設置されているユーザ宅への商品の配送予定時間帯を管理するためのシステムである。
【００２１】
配送予定管理システムＳは、ユーザが定期的に購入している水の重量を測定装置２が測定した結果に基づいて、ユーザの在宅時間帯を推定し、推定した在宅時間帯に基づいて配送予定時間帯の候補を決定する。詳細については後述するが、配送予定管理システムＳは、測定装置２が測定した重量が変化した時刻、測定装置２が測定した結果を含む測定情報を通信端末３が受信した時刻（以下、端末受信時刻という場合がある）、又は通信端末３が測定情報を配送予定管理装置４に送信した時刻（以下、端末送信時刻という場合がある）の少なくとも１つに基づいて在宅時間帯を推定する。
【００２２】
ウォーターサーバー１は、ユーザが水を消費する際に使用する装置である。図１に示す破線領域Ｐに水が入ったタンクが設けられており、ユーザは、水を飲んだり水を料理に使ったりする際にウォーターサーバー１を操作することにより、水を使用することができる。
【００２３】
測定装置２は、水が入った状態でウォーターサーバー１の重量を測定する重量測定装置である。測定装置２は、無線チャネルＷ１を介して通信端末３との間でデータを送受信することができる。無線チャネルＷ１は、例えばＢｌｕｅｔｏｏｔｈ（登録商標）である。測定装置２は、通信端末３から、重量を測定するタイミング又は時間間隔を指示する指示データを受信する。また、測定装置２は、測定した重量を示す測定情報を通信端末３に送信する。なお、測定装置２は、ウォーターサーバー１の本体の重量を差し引いた、水の重量を示す測定情報を送信するものとする。
【００２４】
測定装置２は、例えば電池により動作する。測定装置２が電池により動作する場合であっても、必要な電力が小さいＢｌｕｅｔｏｏｔｈを用いて通信端末３との間でデータを送受信することで、測定装置２は、ユーザが電池を交換することなく、長時間にわたって動作を計測することができる。
【００２５】
通信端末３は、例えばスマートフォン又はタブレットである。通信端末３は、無線チャネルＷ１を介して測定装置２との間でデータを送受信することができる。また、通信端末３は、携帯電話網の無線通信回線Ｗ２及びネットワークＮを介して配送予定管理装置４との間でデータを送受信することができる。ネットワークＮは、携帯電話網及びインターネットを含む。
【００２６】
配送予定管理装置４は、例えば、商品を配送する会社（以下、配送者という）のコンピュータ５からアクセス可能なサーバである。配送予定管理装置４は、通信端末３を介して測定装置２から受信した水の重量が変化した時刻（以下、重量変化時刻という場合がある）に基づいて、ユーザ又はユーザの家族が在宅の時間帯を推定し、推定した結果に基づいて、商品を配送する時間帯の候補（以下、配送時間帯候補という）を決定する。配送予定管理装置４は、配送時間帯候補を通信端末３に通知し、通信端末３は、通知された配送時間帯候補を表示する。
【００２７】
通信端末３は、通知された配送時間帯候補から所望の時間帯を選択する操作をユーザから受け付けると、選択された配送希望時間帯を配送予定管理装置４に送信する。配送予定管理装置４は、選択された配送希望時間帯を受信すると、ユーザの識別情報（以下、ユーザＩＤという）に関連付けて配送希望時間帯をコンピュータ５に通知する。このようにすることで、配送者は、ユーザが在宅している可能性が高い時間帯に商品を配送することができる。
【００２８】
図２及び図３は、ユーザの在宅状況について説明するための図である。図２（ａ）は、通信端末３を使用する第１ユーザＵ１、及び通信端末３を使用しない第２ユーザＵ２が在宅している状況を示している。ユーザＵ１及びユーザＵ２が在宅中である場合、ユーザＵ１及びユーザＵ２のいずれかが水を消費するので、測定装置２が測定した水の重量が、前回の測定時に測定した重量から変化し得る。
【００２９】
図２（ａ）に示す状態においては、通信端末３が、測定装置２が送信する近距離無線通信用の電波が届く範囲に存在する。したがって、通信端末３は、重量を測定した直後に測定装置２が無線回線Ｗ１を介して送信した測定情報を受信することができる。通信端末３は、測定装置２から測定情報を受信すると、無線回線Ｗ２を介して、測定情報を速やかに配送予定管理装置４に送信する。したがって、配送予定管理装置４は、通信端末３が測定情報を受信した端末受信時刻又は通信端末３が測定情報を送信した端末送信時刻と、測定装置２が重量を測定した時刻との時間間隔が、測定装置２が重量を測定してから通信端末３が測定情報を配送予定管理装置４に転送できるまでの遅延時間以内である場合に、図２（ａ）のように、通信端末３のユーザであるユーザＵ１が在宅していると推定する。
【００３０】
図２（ｂ）に示す状態においては、通信端末３が、測定装置２が送信する近距離無線通信用の電波が届かない範囲に存在する。したがって、通信端末３は、重量を測定した直後に測定装置２が無線回線Ｗ１を介して送信した測定情報を受信することができない。この場合、測定装置２は、測定情報を自身のメモリに格納し、通信端末３と通信できる状態になった時点で、一以上の測定情報を通信端末３に送信する。通信端末３は、その時点で、受信した一以上の測定情報を配送予定管理装置４に送信する。
【００３１】
測定装置２が、重量を測定した直後に通信端末３に測定情報を送信できず、その後に通信端末３と通信できる状態になった時点で測定情報を通信端末３に送信した場合、端末受信時刻又は端末送信時刻が、測定装置２が重量を測定した時刻と異なっている。したがって、配送予定管理装置４は、水の重量が変化していることを測定情報が示している時刻と、端末受信時刻又は端末送信時刻との差が上記の遅延時間より大きい場合、図２（ｂ）のように、通信端末３のユーザであるユーザＵ１が不在であり、かつ通信端末３のユーザＵ１の家族であるユーザＵ２が在宅していると推定する。
【００３２】
図３に示す状態においては、ユーザＵ１及びユーザＵ２を含めて、家族全員が在宅していない。前回の測定時刻から図３の状態が継続している場合、測定装置２が測定した水の重量は変化していないと考えられる。また、測定装置２は、重量を測定した直後に測定情報を通信端末３に送信することができない。したがって、配送予定管理装置４は、水の重量が変化していないことを測定情報が示している時間帯に、通信端末３から測定情報が送信されてきていない場合、図３のように、通信端末３のユーザＵ１の家に誰もいないと推定する。
【００３３】
以上のとおり、配送予定管理装置４は、測定装置２が測定した水の重量が変化した重量変化時刻、通信端末３が測定情報を受信した時刻、又は通信端末３が測定情報を送信した時刻の少なくともいずれかに基づいて、時間帯ごとに、測定装置２が設置された家の在宅状況を推定する。配送予定管理装置４は、時間帯ごとに推定した在宅状況に基づいて、商品の配送時間帯候補を決定する。
【００３４】
なお、配送予定管理装置４が配送時間帯候補を決定する対象となる配送商品の種別は任意である。配送商品が、測定装置２が重量を測定する対象である被測定商品と同一であってもよく、配送商品が被測定商品と異なる商品であってもよい。例えば、測定装置２が重量を測定した結果に基づいて、水の残量が少ないことが検出された時点で新たな水が配送される場合、配送予定管理装置４は、水の配送時間帯候補を決定する。配送予定管理装置４は、水の重量を測定した結果に基づいて、水以外の商品の配送時間帯候補を決定してもよい。
以下、測定装置２、通信端末３及び配送予定管理装置４の構成及び動作の詳細について説明する。
【００３５】
［測定装置２の構成］
図４は、測定装置２の構成を示す図である。測定装置２は、重量センサ２１と、計時部２２と、通信部２３と、記憶部２４と、制御部２５とを有する。重量センサ２１は、商品の重量を測定するためのセンサである。重量センサ２１は、測定した重量を制御部２５に通知する。計時部２２は、時刻をカウントする時計ＩＣ（Integrated Circuit）を有する。計時部２２は、時刻を制御部２５に通知する。
【００３６】
通信部２３は、通信端末３との間でデータを送受信するための通信インターフェースである。通信部２３は、例えばＢｌｕｅｔｏｏｔｈ用の通信モジュールである。通信部２３は、重量センサ２１による測定情報を通信端末３に送信する。通信部２３は、通信端末３との間で通信コネクションを確立できない間は測定情報を送信しない。通信部２３は、通信端末３に送信できない測定情報があった後に通信端末３との通信コネクションを確立できた場合、通信コネクションを確立できなかった間の測定情報を記憶部２４から読み出して、読み出した測定情報を通信端末３に送信する。
【００３７】
なお、通信部２３が測定情報を送信するタイミングは任意であり、通信部２３は、通信端末３との通信コネクションが確立された状態で測定を実施したタイミング、又は測定した重量に変化があったタイミングで測定情報を送信してもよい。また、通信部２３は、所定の時間間隔で測定情報を送信してもよい。
【００３８】
記憶部２４は、ＲＯＭ（Read Only Memory）及びＲＡＭ（Random Access Memory）を含む。記憶部２４は、制御部２５が実行するプログラムを記憶している。また、記憶部２４は、重量センサ２１が商品の重量を測定するタイミング又は測定時間間隔の設定値を記憶している。設定値は、例えばコンピュータ５を用いて設定され、通信端末３を介して配送予定管理装置４から送信される。測定装置２に操作部が設けられており、測定装置２が設置されたユーザ宅のユーザが測定タイミングや測定時間間隔を設定するようにしてもよい。
【００３９】
また、記憶部２４は、重量センサ２１が測定した重量を、重量が測定された日時に関連付けて一時的に記憶する。記憶部２４は、測定装置２が通信できる距離に通信端末３が存在しない間に測定した重量の測定データを消失しないように、例えば１週間分の測定データを記憶できる容量のＲＡＭを有している。
【００４０】
制御部２５は、例えばＣＰＵ（Central Processing Unit）である。制御部２５は、記憶部２４に記憶されたプログラムを実行することにより重量センサ２１を制御して、所定の時間間隔で重量センサ２１に重量を測定させるように制御する。また、制御部２５は、通信部２３を制御して、重量センサ２１が測定した重量を通信端末３に送信させる。制御部２５は、例えば、重量センサ２１が測定した重量を含む測定情報を通信端末３に送信するタイミングを制御する。なお、所定の時間間隔は、例えば１時間、半日又は１日であり、通信端末３を用いてユーザが設定したり、コンピュータ５を用いて設定したりすることができる。
【００４１】
［通信端末３の構成］
図５は、通信端末３の構成を示す図である。通信端末３は、第１通信部３１と、第２通信部３２と、表示部３３と、記憶部３４と、制御部３５と、を有する。
【００４２】
第１通信部３１は、例えばＢｌｕｅｔｏｏｔｈ用の通信モジュールであり、測定装置２との間でデータを送受信する。第１通信部３１は、測定装置２が測定した重量のデータを受信する。また、第１通信部３１は、測定装置２の測定タイミングを制御するために用いられる測定時間間隔の設定値を測定装置２に送信する。第１通信部３１は、測定装置２が測定した重量のデータを通信端末３に送信するタイミングの設定値を測定装置２に送信してもよい。
【００４３】
第２通信部３２は、例えばＬＴＥ（Long Term Evolution）用の通信モジュールであり、配送予定管理装置４との間でデータを送受信する。第２通信部３２は、第１通信部３１が測定装置２から受信した重量の測定データを、通信端末３の識別情報に関連付けて配送予定管理装置４に送信する。第２通信部３２は、通信端末３の識別情報の代わりに、ユーザ宅で商品を使用する複数のユーザに割り当てられたユーザＩＤを送信してもよい。また、第２通信部３２は、配送予定管理装置４が送信した指示データを受信する。
【００４４】
表示部３３は、ディスプレイである。表示部３３は、例えば、第２通信部３２が配送予定管理装置４から受信した、発注を推奨するメッセージを表示する。表示部３３の表面にはタッチパネルが設けられており、ユーザは、タッチパネルを用いて商品を発注したり、配送希望日や配送希望時間帯を入力したりすることができる。
【００４５】
記憶部３４は、ＲＯＭ及びＲＡＭを含む。記憶部３４は、制御部３５が実行するプログラムを記憶している。制御部３５は、例えばＣＰＵである。制御部３５は、記憶部３４に記憶されたプログラムを実行することにより、第１通信部３１が測定装置２から受信した重量のデータを、第２通信部３２を介して配送予定管理装置４に送信する。
【００４６】
［配送予定管理装置４の構成］
図６は、配送予定管理装置４の構成を示す図である。配送予定管理装置４は、通信部４１と、記憶部４２と、制御部４３とを有する。通信部４１は、ネットワークＮを介して通信端末３と通信するための通信インターフェースであり、例えばＬＡＮ（Local Area Network）を有する。
【００４７】
記憶部４２は、ＲＯＭ及びＲＡＭを含んでおり、通信部４１が実行するプログラムを記憶している。また、記憶部４２は、制御部４３の制御に基づいて、通信端末３から受信した商品の重量、重量が測定された時刻、商品の重量が変化した時刻である重量変化時刻、通信端末３が測定装置２から測定情報を受信した時刻である端末受信時刻、又は通信端末３が測定情報を送信した時刻である端末送信時刻を年月日に関連付けて記憶する。
【００４８】
制御部４３は、例えばＣＰＵであり、記憶部４２に記憶されたプログラムを実行することにより、情報取得部４３１、在宅時間帯推定部４３２及び決定部４３３として機能する。
【００４９】
情報取得部４３１は、ユーザが消費することにより重量が変化する被測定商品である水の重量と、水の重量が測定装置２によって測定された時刻とを示す測定情報を取得する。情報取得部４３１は、測定情報が示す重量と測定時刻とを関連付けて記憶部４２に記憶させる。情報取得部４３１は、通信端末３が測定情報を受信した端末受信時刻、又は通信端末３が測定情報を送信した端末送信時刻を通信端末３から取得し、端末受信時刻又は端末送信時刻を記憶部４２に記憶させてもよい。本実施形態において、情報取得部４３１は、測定装置２から測定情報を受信した通信端末３から測定情報を取得するものとして説明するが、情報取得部４３１は、測定情報を測定装置２から直接取得してもよい。
【００５０】
情報取得部４３１は、複数の測定情報が示す複数の重量と、当該複数の重量が測定された複数の時刻とに基づいて、重量変化時刻を推定し、推定した重量変化時刻を記憶部４２に記憶させる。情報取得部４３１は、最新の測定情報が示す重量を、前回情報取得部４３１が取得していた測定情報が示す重量と比較し、重量が変化したかどうかを判定することにより、重量変化時刻を推定する。情報取得部４３１は、複数の時刻に測定された複数の重量がそれぞれ異なる場合に、複数の時刻の間の時刻（例えば、複数の時刻の中間の時刻）が重量変化時刻であると推定してもよい。
【００５１】
また、情報取得部４３１は、配送者のコンピュータ５又は通信端末３から送信された配送商品の配送予定日を取得する。また、情報取得部４３１は、コンピュータ５から送信された配送可能時間帯を取得する。情報取得部４３１は、記憶部４２に予め記憶された配送予定日を取得してもよい。また、情報取得部４３１は、制御部４３の他の処理部が測定情報に基づいて決定した配送予定日を取得してもよい。例えば、情報取得部４３１は、後述の決定部４３３が、測定情報に基づいて、ユーザの自宅における被測定商品の在庫量が所定の量以下になったことに基づいて決定した配送予定日を取得してもよい。情報取得部４３１は、取得した配送予定日及び配送可能時間帯を、在宅時間帯を推定する在宅時間帯推定部４３２、及び配送時間帯候補を決定する決定部４３３に通知する。
【００５２】
在宅時間帯推定部４３２は、記憶部４２に記憶された重量変化時刻、端末受信時刻及び端末送信時刻の少なくともいずれかを参照することにより、ユーザの在宅時間帯を推定する。そして、決定部４３３は、情報取得部４３１から通知された配送可能時間帯と、在宅時間帯推定部４３２が推定した在宅時間帯とに基づいて、配送時間帯の候補を決定する。決定部４３３は、通信部４１を介して、配送可能時間帯と在宅時間帯とが重なっている時間帯を配送時間帯候補に決定し、決定した配送時間帯候補を外部に出力する。決定部４３３は、例えば、配送時間帯候補を通信端末３に送信したり、配送者のコンピュータ５に送信したりする。
以下、情報取得部４３１、在宅時間帯推定部４３２及び決定部４３３が連携して、ユーザの在宅時間帯を推定し、推定した在宅時間帯に基づいて配送時間帯候補を決定する方法について詳細に説明する。
【００５３】
［重量変化時刻の特定方法］
図７は、第１の日（例えば２０１７年３月１日）における、測定装置２が被測定商品の重量を測定した時刻と測定した重量との関係を示す図である。図８は、第２の日（例えば２０１７年３月２日）における、測定装置２が被測定商品の重量を測定した時刻と測定した重量との関係を示す図である。図７及び図８における横軸は時刻を示しており、縦軸は測定情報に含まれている重量を示している。図７及び図８においては、測定装置２の測定時間間隔が３０分である場合を例示しているが、測定時間間隔は任意である。
【００５４】
図７及び図８における白丸は、情報取得部４３１が、測定装置２が測定した直後に通信端末３から受信した受信時間帯における測定結果を示している。図７及び図８における黒丸は、情報取得部４３１が、測定装置２が測定した直後に通信端末３から受信せず、測定装置２と通信端末３とが通信できる状態になってから通信端末３が受信した非受信時間帯における測定結果を示している。測定装置２が黒丸に示す測定結果を取得した時点で、通信端末３の電源がオフ状態であったり、通信端末３が、測定装置２が送信する電波が届かないエリアにいる状態だったりしたために、測定装置２が通信端末３との間で通信コネクションを確立できなかったということを想定している。
【００５５】
情報取得部４３１は、図７に示す測定結果に基づいて、第１の日において、例えば、０：３０〜１：００の間、６：００〜６：３０の間、７：００〜８：００の間等において重量が変化したことを特定する。図７に示す例において、１：００〜５：００、及び９：００〜１７：００の間は、測定装置２が測定した直後に通信端末３が測定情報を配送予定管理装置４に送信できなかった非受信時間帯となっている。
【００５６】
また、情報取得部４３１は、図８に示す測定結果に基づいて、第２の日において、例えば０：００〜０：３０の間、５：００〜５：３０の間、６：００〜６：３０の間、７：３０〜８：００の間等において重量が変化したことを特定する。図８に示す例において、１：００〜５：３０、及び９：００〜１８：００の間は、測定装置２が測定した直後に通信端末３が測定情報を配送予定管理装置４に送信できなかった非受信時間帯となっている。図８に示す例においては、非受信時間帯である１７：００と１７：３０の間に重量が変化している。この時間帯は、例えばユーザ宅に通信端末３を使用するユーザは不在であるが、家族が在宅していたと考えられる。
【００５７】
情報取得部４３１は、日付及び時間帯ごとに、重量が変化した時刻を重量変化時刻情報として記憶部４２に記憶させる。図９は、記憶部４２に記憶された重量変化時刻情報の一例を示す図である。図９においては、２０１７年３月１日から３月４日までに被測定商品の重量が変化した時間帯を「１」で示し、重量が変化しなかった時間帯を「０」で示している。図９において「１」となっている時間帯においては、商品の重量が変化しているので、この時間帯は、商品を消費するユーザが在宅していた時間帯であると考えられる。
【００５８】
［在宅時間帯の推定方法］
在宅時間帯推定部４３２は、重量変化時刻、端末受信時刻及び端末送信時刻の少なくともいずれかが含まれる時間帯を在宅時間帯として推定する。図６、図７及び図８は、在宅時間帯推定部４３２の動作について説明するための図である。
【００５９】
在宅時間帯推定部４３２は、例えば以下の方法により、ユーザが連続して在宅している時間帯を推定する。まず、決定部４３３は、それぞれの日において、重量が変化していない時間が所定の長さ以上にわたって継続した後に重量が変化した時刻を、ユーザが起床したと推定される時刻（以下、推定起床時刻という）又は帰宅したと推定される時刻（以下、推定帰宅時刻という）であると推定する。決定部４３３は、複数の日のそれぞれの推定起床時刻及び推定帰宅時刻を推定する。
【００６０】
また、在宅時間帯推定部４３２は、それぞれの日において、推定起床時刻の後に重量が変化してから所定の長さ以上にわたって重量が変化していない時間が続いた場合、直前に重量が変化した時刻を、ユーザが出勤等のために外出したと推定される時刻（以下、推定外出時刻という）であると推定する。在宅時間帯推定部４３２は、推定帰宅時刻の後に重量が変化してから所定の長さ以上にわたって重量が変化していない時間が続いた場合、直前に重量が変化した時刻を、ユーザが就寝したと推定される時刻（以下、推定就寝時刻という）であると推定する。在宅時間帯推定部４３２は、複数の日に対して推定外出時刻及び推定就寝時刻を推定する。
【００６１】
在宅時間帯推定部４３２は、複数の日の推定起床時刻のうち最も遅い時刻から、複数の日の推定外出時刻のうち最も早い時刻までが在宅時間帯であると推定する。また、在宅時間帯推定部４３２は、複数の日の推定帰宅時刻のうち最も遅い時刻から、複数の日の推定就寝時刻のうち最も早い時刻までが在宅時間帯であると推定する。
【００６２】
在宅時間帯推定部４３２は、情報取得部４３１から通知された配送予定日と同一の属性を有する過去の一以上の日付に関連付けて記憶部４２に記憶された重量変化時刻に基づいて在宅時間帯を推定してもよい。在宅時間帯推定部４３２は、例えば配送予定日と同じ曜日又は日にちに関連付けて記憶部４２に記憶された重量変化時刻に基づいて在宅時間帯を推定する。例えば、在宅時間帯推定部４３２は、同じ曜日の複数の日の重量変化時刻に基づいて、その曜日における推定起床時刻、推定外出時刻、推定帰宅時刻及び推定就寝時刻を推定した結果に基づいて在宅時間帯を推定する。このようにすることで、ユーザが曜日ごとに生活パターンが異なる場合に、在宅時間帯推定部４３２は、曜日ごとに異なる在宅時間帯を推定することができる。
【００６３】
また、在宅時間帯推定部４３２は、配送予定日と同一の属性を有する過去の一以上の日のうち所定の割合以上の日に関連付けて記憶部４２に記憶されている重量変化時刻が含まれる時間帯を在宅時間帯と推定してもよい。例えば、図８に示す例の場合、１８：００〜１８：３０の間は、４日のうち過半数の３日において、商品の重量が変化した在宅時間帯である。このように、所定の割合以上の日において在宅していると推定される時間帯には、ユーザが在宅している確率が高いと考えられる。したがって、在宅時間帯推定部４３２がこのような処理をすることで、推定した在宅時間帯にユーザが在宅している確率が高くなる。
【００６４】
［通信端末３が測定情報を受信又は送信した時刻の利用］
在宅時間帯推定部４３２は、重量変化時刻、及び端末受信時刻又は端末送信時刻を用いて在宅時間帯を推定することにより、ユーザ宅に誰がいるかを時間帯ごとに推定することができる。在宅時間帯推定部４３２は、配送時間帯を決定する際の最小単位となる各時間帯に、重量変化時刻、端末受信時刻及び端末送信時刻のうちどの時刻が含まれているかによって、以下のように、ユーザ宅の状態を推定することができる。
【００６５】
（１）端末受信時刻又は端末送信時刻が含まれている時間帯
この場合、図２（ａ）に示したように、通信端末３を使用するユーザ自身が在宅中であると考えられる。通信端末３を使用するユーザは、ユーザ宅における世帯主又はその配偶者（大人）である可能性が高い。そこで、在宅時間帯推定部４３２は、端末受信時刻又は端末送信時刻が含まれている時間帯は、配送時間帯の候補として最も高い第１優先度の在宅時間帯であるとする。在宅時間帯推定部４３２は、情報取得部４３１が端末受信時刻及び端末送信時刻の２つを受信した場合、在宅時間帯の推定に、端末受信時刻が含まれている時間帯を優先的に利用してもよい。決定部４３３は、第１優先度の在宅時間帯を、優先的に配送時間帯候補とする。
【００６６】
通信端末３のユーザが在宅中である時間帯は、日によって変動すると考えられる。そこで、在宅時間帯推定部４３２は、所定の期間内の複数の日において共通して端末受信時刻及び端末送信時刻が含まれている時間帯を第１優先度の在宅時間帯であるとしてもよい。
【００６７】
なお、端末受信時刻及び端末送信時刻が含まれる時間帯であっても、所定の時間以上にわたって商品の重量が変化していない時間帯には、ユーザが活動しておらず就寝している可能性が高いと考えられる。そこで、在宅時間帯推定部４３２は、端末受信時刻及び端末送信時刻が含まれる時間帯であっても、所定の時間以上にわたって商品の重量が変化していない時間帯を後述の第２優先度よりも低い優先度としてもよい。
【００６８】
（２）重量変化時刻が含まれているが、端末受信時刻及び端末送信時刻が含まれていない時間帯
この場合、図２（ｂ）に示したように、通信端末３を使用するユーザが不在であるが、他の家族が在宅であると考えられる。通信端末３を使用するユーザ以外の家族は、子供である可能性がある。そこで、在宅時間帯推定部４３２は、重量変化時刻が含まれているが、端末受信時刻及び端末送信時刻が含まれていない時間帯は、第１優先度の次に高い第２優先度の在宅時間帯とする。決定部４３３は、第２優先度の在宅時間帯を、第１優先度の在宅時間帯がない場合の配送時間帯候補とする。
【００６９】
（３）重量変化時刻、端末受信時刻及び端末送信時刻の全てが含まれていない時間帯
この場合、図３に示したように、通信端末３を使用するユーザもその家族も不在であるか、又は就寝中であるという可能性が高い。そこで、在宅時間帯推定部４３２は、重量変化時刻、端末受信時刻及び端末送信時刻の全てが含まれていない時間帯を、ユーザが不在の時間帯とする。決定部４３３は、原則として、この時間帯を配送時間帯候補としないものとする。
【００７０】
なお、以上の説明においては、測定装置２から測定情報を受信可能な通信端末３が一台である場合を例示したが、複数の通信端末３が測定装置２から測定情報を受信できてもよい。この場合、在宅時間帯推定部４３２は、複数の通信端末３のうちのいずれか一方が測定情報を受信した時刻又は測定情報を送信した時刻を、端末受信時刻又は端末送信時刻とすることができる。
【００７１】
在宅時間帯推定部４３２は、このように複数の通信端末３から測定情報を受信した場合、測定情報を送信した通信端末３の識別情報の優先度に基づいて、在宅時間帯の推定に用いる優先度を決定してもよい。例えば、母親、父親、及び子供が通信端末３を持っており、それぞれの通信端末３から測定情報を受信した場合、在宅時間帯推定部４３２は、端末受信時刻及び端末送信時刻が同一であるとしても、優先度が高い母親の通信端末３から測定情報が送信された時間帯を在宅時間帯と判定する。このようにすることで、例えば、配送される商品の受け取りに適した人が在宅している時間帯に商品が配送される確率を高めることができる。
【００７２】
また、在宅時間帯推定部４３２は、複数の通信端末３から測定情報を受信した時間帯が複数ある場合、測定情報を送信した通信端末３の数が多いほど、在宅時間の推定に用いる優先度を高くしてもよい。このようにすることで、在宅時間帯推定部４３２が在宅時間帯として推定した時間帯にユーザの家族の誰かが在宅している確率が高くなる。
【００７３】
［配送予定管理システムＳにおける通信シーケンス］
図１０は、配送予定管理システムＳにおける測定装置２、通信端末３及び配送予定管理装置４の間での通信シーケンスを示す図である。図１０に示す通信シーケンスは、測定装置２が測定タイミングであるかどうかを判定する処理（Ｓ１１）から開始している。
【００７４】
測定装置２の制御部２５は、ステップＳ１１において、時刻が測定タイミングに一致していると判定した場合（Ｓ１１においてＹＥＳ）、重量センサ２１に重量を測定させ、重量データを取得する（Ｓ１２）。制御部２５は、取得した重量データを一時的に記憶部２４に記憶させる。
【００７５】
制御部２５は、測定データを取得すると通信部２３を制御して、通信端末３との間でＢｌｕｅｔｏｏｔｈのコネクションを確立させる。通信部２３は、アドバタイズメントを送信し、通信端末３の第１通信部３１からアドバタイズメントを受信すると、通信部２３に対して接続要求を送信し、コネクションを確立する。
【００７６】
制御部２５は、通信端末３との間のコネクションが確立すると、記憶部２４に記憶させていた重量データを読み出して、通信部２３を介して、重量データを含む測定情報を通信端末３に送信する。通信端末３は、第１通信部３１が測定装置２から受信した測定情報を第２通信部３２により配送予定管理装置４へと送信する（Ｓ１３）。配送予定管理装置４は、受信した測定情報を記憶部４２に記憶させる（Ｓ１４）。
【００７７】
配送予定管理装置４は、測定情報に基づいて配送時間帯候補を決定し（Ｓ１５）、決定した配送時間帯候補を通信端末３に送信する。通信端末３は、受信した配送時間帯候補を表示させ、ユーザが希望する時間帯の入力を受け付ける（Ｓ１６）。通信端末３は、受け付けた希望時間帯を配送予定管理装置４に通知する。配送予定管理装置４は、通知された希望時間帯を、例えば、商品の配送者に通知する。
【００７８】
［配送予定管理装置４のフローチャート］
図１１は、配送予定管理装置４が重量変化時刻を特定する動作のフローチャートである。まず、情報取得部４３１は、通信端末３から測定情報を取得する（Ｓ２１）。情報取得部４３１は、測定情報が示す重量と、通信端末３が測定情報を受信した時刻、又は通信端末３が測定情報を送信した時刻とを関連付けて記憶部４２に記憶させる（Ｓ２２）。
【００７９】
続いて、情報取得部４３１は、測定情報が示す重量を、前回の測定時刻において測定された重量と比較し、重量が変化したかどうかを判定する（Ｓ２３）。情報取得部４３１は、重量が変化したと判定すると、最新の測定情報が示す測定時刻を、重量変化時刻として特定し（Ｓ２４）、特定した重量変化時刻を記憶部４２に記憶させる（Ｓ２５）。
【００８０】
図１２は、配送予定管理装置４が配送時間帯候補を決定する動作のフローチャートである。図１２に示すフローチャートは、情報取得部４３１が商品の配送予定日を取得するところから開始している（Ｓ３１）。
【００８１】
在宅時間帯推定部４３２は、配送予定日と同一の属性の過去の日に関連付けて記憶部４２に記憶されている重量変化時刻、端末受信時刻及び端末送信時刻を参照することにより、配送予定日における在宅時間帯を推定する（Ｓ３２）。在宅時間帯推定部４３２は、例えば、配送予定日のそれぞれの時間帯が、第１優先度の在宅時間帯であるか、第２優先度の在宅時間帯であるか、不在の時間帯であるかを推定する。在宅時間帯推定部４３２は、推定した在宅時間帯を決定部４３３に通知する。
【００８２】
決定部４３３は、在宅時間帯推定部４３２が推定した在宅時間帯に基づいて、配送時間帯候補を決定する。決定部４３３は、第１優先度の在宅時間帯があるかどうかを判定する（Ｓ３３）。決定部４３３は、第１優先度の在宅時間帯がある場合、第１優先度の在宅時間帯を選択して（Ｓ３４）、選択した在宅時間帯を配送時間帯候補に決定する（Ｓ３５）。決定部４３３は、第１優先度の在宅時間帯がない場合、第２優先度の在宅時間帯を選択して（Ｓ３６）、選択した在宅時間帯を配送時間帯候補に決定する（Ｓ３５）。決定部４３３は、決定した配送時間帯候補を通信端末３に送信する（Ｓ３７）。
【００８３】
なお、決定部４３３は、ステップＳ３３において第１優先度の在宅時間帯がないと判定した場合、第２優先度の在宅時間帯があるか否かを判定してもよい。決定部４３３は、第２優先度の在宅時間帯もないと判定した場合、配送予定日以降の日に対してステップＳ３２〜Ｓ３５の処理を実行し、配送予定日以降の日における配送時間帯候補を決定してもよい。
【００８４】
また、決定部４３３は、予めユーザから、第２優先度の在宅時間帯においても配送してよい旨の通知を受けていることを条件として、ステップＳ３６において第２優先度の在宅時間帯を選択することとしてもよい。このようにすることで、ユーザが、子供が留守番している時間帯に配送されることを望まない場合に、配送予定管理装置４は、子供が留守番している時間帯を配送時間帯候補として選択しないようにすることができる。
【００８５】
また、決定部４３３は、商品の種別に基づいて、第２優先度の在宅時間帯を選択するか否かを決定してもよい。例えば、決定部４３３は、子供であっても容易に受け取ることができる小型の商品や低額の商品の場合に、第２優先度の在宅時間帯を選択し、大型の商品や高額の商品の場合に、第２優先度の在宅時間帯を選択しないものとする。このようにすることで、決定部４３３は、配送時間帯候補として選択可能な時間帯を増やすことができる。
【００８６】
［変形例１］
情報取得部４３１は、決定部４３３が決定した配送時間帯候補に基づいて決定された配送時刻に商品が発送された後に、配送時刻に配送商品が配送できなかったことの通知を取得してもよい。この場合、決定部４３３は、情報取得部４３１が上記の通知を取得した後に被測定商品の重量が変化したことを検出した場合に、配送商品の再配送時間帯の候補を通信端末３に送信してもよい。このようにすることで、通信端末３のユーザが自宅にいる間に再配送時間帯の候補を選択してもらえるので、ユーザが自宅にいる間に配送者が商品を再配送できる確率が高まる。
【００８７】
［変形例２］
以上の説明においては、配送時間帯候補が、商品を配送するための時間帯である場合を例示したが、配送時間帯は、商品を受け取るための時間帯であってもよい。例えば、決定部４３３は、配送した水を使い切った後の空タンクを受け取るための時間帯を、配送時間帯候補として決定してもよい。
【００８８】
［変形例３］
以上の説明においては、配送予定管理装置４が配送時間帯候補を通信端末３又はコンピュータ５に送信する例を示したが、配送予定管理装置４は他の情報を送信してもよい。例えば、配送予定管理装置４は、配送時間帯候補とともに、商品の配送予定数量及び在庫数量を通知してもよい。また、配送予定管理装置４は、配送日時及び配送予定数量を変更するための画面のリンク先情報を通知してもよい。
【００８９】
また、配送予定管理装置４は、在宅時間帯推定部４３２が推定した在宅時間帯に基づいて、商品を使用することをレコメンドするための情報を送信してもよい。例えば、配送予定管理装置４は、通信端末３から測定情報を受信した後、所定時間が経過するまでの間に時間帯や季節に応じた商品を用いたメニュー情報を通信端末３に送信する。また、配送予定管理装置４は、商品の消費量と在庫量を示すデータを通信端末３に送信し、在庫量が所定量以下である場合に、追加購入を推奨するメッセージを送信してもよい。このようにすることで、通信端末３のユーザが在宅している状態で在庫量を自分自身でも確認してから速やかに追加注文をできる。そして、配送予定管理装置４が、追加注文の内容を移動中の配送業者に通知すれば、迅速に追加注文分の商品がユーザに配送される。
【００９０】
［配送予定管理装置４による効果］
以上説明したように、配送予定管理装置４は、ユーザが消費することにより重量が変化する被測定商品の重量が変化した時刻に基づいて、ユーザが在宅の時間帯を推定し、推定した結果に基づいて、商品の配送時間帯候補を決定する。ユーザが消費することにより重量が変化する被測定商品の重量が変化した時刻においては、ユーザの自宅にユーザ自身又は家族がいると考えられるので、配送予定管理装置４は、高い精度で在宅時間帯を特定できる。その結果、配送予定管理装置４は、ユーザが在宅している確率が高い時間帯を配送時間候補とすることができるので、ユーザが在宅している間に配送者が商品を配送できる確率が高まる。
【００９１】
さらに、配送予定管理装置４は、ユーザの通信端末３が測定装置２から測定情報を受信した時刻、又は測定装置２が測定情報を配送予定管理装置４に送信した時刻も用いて在宅時間帯を推定する。このようにすることで、配送予定管理装置４は、ユーザ自身が在宅中であるか、ユーザの家族のみが在宅中であるかを推定できるので、ユーザの希望や商品の種類に応じて適切な時間帯を配送時間候補に決定することができる。
【００９２】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００９３】
１  ウォーターサーバー
２  測定装置
３  通信端末
４  配送予定管理装置
５  コンピュータ
２１  重量センサ
２２  計時部
２３  通信部
２４  記憶部
２５  制御部
３１  第１通信部
３２  第２通信部
３３  表示部
３４  記憶部
３５  制御部
４１  通信部
４２  記憶部
４３  制御部
４３１  情報取得部
４３２  在宅時間帯推定部
４３３  決定部
【図１】
2018165965.tif 000003
【図２】
2018165965.tif 000004
【図３】
2018165965.tif 000005
【図４】
2018165965.tif 000006
【図５】
2018165965.tif 000007
【図６】
2018165965.tif 000008
【図７】
2018165965.tif 000009
【図８】
2018165965.tif 000010
【図９】
2018165965.tif 000011
【図１０】
2018165965.tif 000012
【図１１】
2018165965.tif 000013
【図１２】
2018165965.tif 000014